(57)【要約】【課題】  電気機器キャビネットへの取り付けが容易なうえ取付箇所の板厚に影響されず的確な取り付けができる電気機器キャビネット用ルーバ装置を提供する。  【解決手段】  ルーバ取付本体１の前面周縁に連設した円形筒部１１を、電気機器キャビネット１００の側板部１０１に設けた円形の換気窓孔１０２に該電気機器キャビネット１００の内側から嵌合して電気機器キャビネット１００の外側に張出させて、該円形筒部１１の周縁に設けた前記雄ネジ部１１ａに雌ネジ部２ａを設けた締付部材２を螺合して前記ルーバ取付本体１を電気機器キャビネット１００に取り付け、電気機器キャビネット１００の外側に張出させた円形筒部１１の前面開口をルーバカバー３で覆う。【選択図】  図１
2006329522.tif 000002
【特許請求の範囲】
【請求項１】
ルーバ取付本体の前面周縁に連設した円形筒部を、電気機器キャビネットの側板部に設けた円形の換気窓孔に該電気機器キャビネットの内側から嵌合して電気機器キャビネットの外側に張出させて、該円形筒部の周縁に設けた雄ネジ部に雌ネジ部付きの締付部材を螺合して前記ルーバ取付本体を電気機器キャビネットに取り付け、電気機器キャビネットの外側に張出させた円形筒部の前面開口をルーバカバーで覆ったことを特徴とする電気機器キャビネット用ルーバ装置。
【請求項２】
ルーバカバーを屋外用と屋内用に変更可能とした請求項１に記載の電気機器キャビネット用ルーバ装置。
【請求項３】
雌ネジ部付きの締付部材の外周縁に環状溝部を設けて、該環状溝部にフードをスライドさせて取り付けできるものとした請求項１に記載の電気機器キャビネット用ルーバ装置。
【発明の詳細な説明】
【技術分野】
【０００１】
本発明は、電気機器キャビネット内の換気を行うための電気機器キャビネット用ルーバ装置に関するものである。
【背景技術】
【０００２】
従来の電気機器キャビネット用ルーバ装置として、ルーバ本体の背面に張設した筒部の周縁に雄ネジ部を設けて、該筒部を電気機器キャビネットの外側から該電気機器キャビネットに設けた換気窓孔に嵌合して、前記雄ネジ部に雌ネジ部を設けた締付リングを締付けて該締付リングとルーバ本体の外周内面との間に換気窓孔の周縁を挟持して電気機器キャビネットに取り付け、前記締付リングに設けた取付座にファンを取り付けたものがある（特許文献１参照）。この従来のものは、換気窓孔を設けた板材の厚さの違いにより締付リングの締付による回動停止位置が異なるため取付座の位置が変動してファンの取付角度が一定せず、そのため、他の機器の設置位置を調整する必要もある。
【０００３】
また、ファンを設けたファンケースの前方にルーバ取付用筒部を張設して、該ルーバ取付用筒部を電気機器キャビネットの内側から該電気機器キャビネットに設けた換気窓孔に嵌合して、ルーバ取付用筒部の周縁に設けた雄ネジ部にキャップ状のルーバ本体を螺合して取り付けたもの（特許文献２参照）も知られている。しかしながら、これはファンケースの前方に張設したルーバ取付用筒部に設けた雄ネジ部にキャップ状のルーバ本体を螺合して取り付けているため、ルーバ本体を外すとファンケースが換気窓孔から脱落する虞がある。そのため、頻繁に清掃又は交換を必要とするフィルタをファンケースの背面側に設置する必要がある。また、このフィルタの清掃のための着脱作業又は交換作業を電気機器キャビネット内から行わなければならず、これらの作業する度に感電防止の対策を採らなければならない問題がある。
【特許文献１】実開平０６−３１１９７号公報
【特許文献２】実開平０６−１４８３３号公報
【発明の開示】
【発明が解決しようとする課題】
【０００４】
本発明は前記のような問題点を解決して、電気機器キャビネットへの取り付けが容易なうえ取付箇所の板厚に影響されず的確な取り付けができる電気機器キャビネット用ルーバ装置を提供することである。
【課題を解決するための手段】
【０００５】
本発明の電気機器キャビネット用ルーバ装置は、ルーバ取付本体の前面周縁に連設した円形筒部を、電気機器キャビネットの側板部に設けた円形の換気窓孔に該電気機器キャビネットの内側から嵌合して電気機器キャビネットの外側に張出させて、該円形筒部の周縁に設けた雄ネジ部に雌ネジ部付きの締付部材を螺合して前記ルーバ取付本体を電気機器キャビネットに取り付け、電気機器キャビネットの外側に張出させた円形筒部の前面開口をルーバカバーで覆ったことを特徴とするものを請求項１に記載の発明とする。そして、この請求項１の発明においてルーバカバーを屋外用と屋内用に変更可能としたものを請求項２に記載の発明とし、さらに、請求項１に記載の発明において、雌ネジ部付きの締付部材の外周縁に環状溝部を設けて、該環状溝部にフードをスライドさせて取り付けできるものとしたものを請求項３に記載の発明としたものである。
【発明の効果】
【０００６】
前記のような請求項１に記載の発明は、ルーバ取付本体の前面周縁に連設した円形筒部を、電気機器キャビネットの側板部に設けた円形の換気窓孔に該電気機器キャビネットの内側から嵌合して電気機器キャビネットの外側に張出させて、該円形筒部の周縁に設けた雄ネジ部に雌ネジ付きの締付部材を螺合して前記ルーバ取付本体を電気機器キャビネットに取り付けたものであるから、取付作業が容易なものであり、また、ルーバ取付本体を回動することなく取り付けできるので、ルーバ取付本体の裏面に電動ファンを取り付けたものであっても電動ファンの角度が変動しないものである。このように雌ネジ部付きの締付部材により取り付けているので、電気機器収納箱の外側に張出させた雄ネジ筒部の前面開口を覆っているルーバカバーを外してもルーバ取付本体が脱落する虞がないので、ルーバ取付本体の換気口側にフィルタを設置してもキャビネットの外側からルーバカバーを外すことにより該フィルタの交換作業をキャビネットの外部で行うことができ、感電防止対策を採ることなく作業を行うことができるものである。
【０００７】
また、請求項２に記載の発明は、ルーバカバーを屋外用と屋内用に変更可能としたものであるので、ルーバカバーを変更するだけで屋外用及び屋内用の電気機器キャビネットに使用できるので安価に製造できるものである。また、請求項３に記載の発明は、雌ネジ部付きの締付部材の周縁に環状溝部を設けて、該環状溝部にフードをスライドさせて取り付けたものであるから、締付部材はキャビネットの板厚が異なっても常にキャビネット外面に当接したものであるから環状溝部のキャビネット外面からの位置は一定であるので板厚が異なるキャビネットに対しても同一規格のフードを取り付けできるものである。
【発明を実施するための最良の形態】
【０００８】
次に、本発明の好ましい実施の形態を図面に基づき説明する。
図１において、１はルーバ取付本体であり、該ルーバ取付本体１の前面周縁に円形筒部１１が連設されている。また、この円形筒部１１の周縁に雄ネジ部１１ａが設けてある。そして、前記円形筒部１１は電気機器キャビネット１００の側板部１０１に設けた円形の換気窓孔１０２に電気機器キャビネット１００の内側から嵌合するとともに、ルーバ取付本体１の前面周縁の外縁側を換気窓孔１０２の周縁内面に当接させて該円形筒部１１の先端を電気機器キャビネット１００の外側に張出させて、円形筒部１１の雄ネジ部１１ａに雌ネジ部２ａ付きの締付部材２を螺合して換気窓孔１０２の周縁をルーバ取付本体１の周縁前面と締付部材２により挟持してルーバ取付本体１を電気機器キャビネット１００に取り付けるものであり、この取付作業は容易なものである。また、ルーバ取付本体を回動することなく取り付けできるので、ルーバ取付本体１の裏面に電動ファンを取り付けたものであっても電動ファンの角度が変動しないものであるから、他の機器の配置関係や配線等に不都合な問題が生じないものである。
【０００９】
そして、電気機器キャビネット１００の外側に張出させた円形筒部１１の前面開口をルーバカバー３で覆っている。このルーバカバー３はルーバ取付本体１を電気機器キャビネット１００に取り付けるための機能を備えている必要がないものであるから、ルーバカバー３を外してもルーバ取付本体１が換気窓孔１０２から外れる虞がないのである。これにより、ルーバ取付本体１の後方内側に設けた十字状のフィルタ保持部１２に支持させたフィルタ４をキャビネット１００の外側からルーバカバー３を外すことにより該フィルタ４の交換ができ、感電防止の対策を採ることなく作業を行うことができるものである。
【００１０】
なお、前記ルーバカバー３は図１〜図３に示すものは、風雨に曝される屋外に設置する電気機器キャビネット１００に使用する屋外用のものである。すなわちこの屋外用のルーバカバー３は、ルーバ取付本体１の換気口すなわち円形筒部１１の前面内側に嵌合するサブルーバカバー３１とその外部を覆う外側ルーバカバー３２からなるものである。
【００１１】
前記サブルーバカバー３１は図３に示すように外周に設けた突起３１ａを換気口の内面すなわち円形筒部１１の筒内面に設けた係止溝１１ｂに係止して抜け出ることないうえガラリ３１ｂが所定の角度に位置となるように円形筒部１１に嵌合して取り付けられている。また、外側ルーバカバー３２はガラリ３２ｂを設けた主板部３２ｃの周縁に前記円形筒部１１の雄ネジ部１１ａに螺合した雌ネジ２ａ付きの締付部材２を囲装する周枠部３２ｄを設けたものである。そして、該外側ルーバカバー３２は前記サブルーバカバー３１の前面上部に突設した爪部３１ｃに上方のガラリ３２ｂの上縁を係止するとともにサブルーバカバー３１の前面下方に突設した突起３１ｄを外側ルーバカバー３２の下方に設けた係止穴に嵌合させて、該外側ルーバカバー３２とサブルーバカバー３１とは互いのガラリ３２ｂ、３１ｂが所定の位置を保持して一体に取り付けられるものである。
【００１２】
これにより、上方から流れてくる雨水の浸入を防ぐためキャビネット側に向け上向き傾斜とした外側ルーバカバー３２のガラリ３２ｂと、風により吹き上げられる雨水の浸入を防ぐキャビネット側に向け下向き傾斜のサブルーバカバー３１のガラリ３１ｂをそれぞれ傾斜部の上部同士において当接して山型の屈曲した通風路を形成できるものである。
【００１３】
また、前記外側ルーバカバー３２は上部に設けたネジ挿通孔３２ａから取付ネジ５を挿通したうえ前記サブルーバカバー３１を貫通してルーバ取付本体１に設けた雌ネジ部１３に螺合して強固に取り付けることができるものとしている。なお、この屋外用のルーバカバー３は外側ルーバカバー３２とサブルーバカバー３１を別体として組み合わせて構成しているが、一体に構成してもよいものである。
【００１４】
また、ルーバ取付本体１の裏面側に強制換気が行うことができるように図３に示すように電動ファン６を取り付ける場合においても、前記したとおりルーバ取付本体１は前面に連設した円形筒部１１を換気窓孔１０２に電気機器キャビネット１００の内側から嵌合したものであるので、換気窓孔１０２と同じ大きの電動ファン６を取り付けでき、効率の良い換気が行えるものである。
【００１５】
また、ルーバカバー３は前記屋外用のルーバカバーと図４に示すような屋内用のルーバカバーに相互に変更可能なものとしている。すなわち、本発明に係る電気機器キャビネット用ルーバ装置を風雨に曝される事がない屋内に設置する電気機器キャビネット１００に使用するものとした場合に、ルーバカバー３をサブルーバカバー３１と外側ルーバカバー３２を組み合わせたものでなく、前記サブルーバカバー３１と同様にルーバ取付本体１の円形筒部１１に嵌合して取り付けできる単体よりなるルーバカバー３（３ａ）に交換できるものである。したがって、雨水の浸入の防止に配慮することのない通風のよいガラリを設けたルーバカバー３（３ａ）のみを別異に用意するだけで屋外用と屋内用の双方に使用できるものである。
【００１６】
さらに、図５〜図７に示すように、雌ネジ部２ａ付きの締付部材２の周縁に環状溝部２１を設けて、該環状溝部２１に屋外用のルーバカバー３の外側ルーバカバー３２に変えて下端に通風口７１を設けたフード７をスライドさせて取り付けたものとして屋外用として使用することもできる。この場合、環状溝部２１の溝底部２１ａは円形を形成して連なっているので、フード７の背面両側に内向に折曲形成した係止片部７２、７２は環状溝部２１の対向する両側に位置する円弧点を挟み込むように上下方向にスライドして係止し、また、背面上側に内向き折曲形成した係止片部７３は環状溝部２１の上部に位置する円弧点に係止して取り付けられるものである。
【００１７】
このように、フード７は雌ネジ部２ａ付きの締付部材２の周縁に設けた環状溝部２１にスライドさせて取り付けられているので、締付部材２の締付停止位置が異なっても所定の上下方向で取り付けできるものである。また、雌ネジ付きの締付部材２はキャビネット１００の板厚が異なっても常にキャビネット１００の外面に当接したものであるから環状溝部２１のキャビネット外面からの位置は一定であるので同一規格のフードを取り付けできるものである。
【図面の簡単な説明】
【００１８】
【図１】本発明の実施形態を屋外用として使用した一例を示す縦断面図。
【図２】本発明の実施形態を屋外用として使用した一例を示す斜視図。
【図３】本発明の実施形態を屋外用として使用した一例を示す分解して示す斜視図。
【図４】本発明の実施形態を屋内用として使用した一例を示す分解して示す斜視図。
【図５】本発明の実施形態を屋外用として使用した他例を示す縦断面図。
【図６】本発明の実施形態を屋外用として使用した他例を示す横断面図。
【図７】本発明の実施形態を屋外用として使用した他例を示す斜視図。
【符号の説明】
【００１９】
１  ルーバ取付本体
11  円形筒部
11a  雄ネジ部
２  締付部材
2a  雌ネジ部
21  環状溝部
３  ルーバカバー
７  フード
【図１】
2006329522.tif 000003
【図２】
2006329522.tif 000004
【図３】
2006329522.tif 000005
【図４】
2006329522.tif 000006
【図５】
2006329522.tif 000007
【図６】
2006329522.tif 000008
【図７】
2006329522.tif 000009